(57)【要約】【課題】蓋体の構成部品が全て分解できることにより洗浄性を、スライド蓋に弾性クリック部を設けることにより操作性を、それぞれ向上させた飲料用容器の蓋体構造を提供する。【解決手段】上部が開口した飲料用容器本体１と、前記飲料用容器本体１の上部開口部２に被着される蓋本体２１と、前記蓋本体２１に着脱自在に取り付けられる止水部材２４と、を有する飲料用容器の蓋体構造であって、前記蓋本体２１は外周の一部を切り欠いて形成された液通孔２２を有し、前記止水部材２４は前記蓋本体２１の外面７９に形成された嵌合溝８３に嵌合されると共に、前記液通孔２２を形成する液通孔壁８４，８５，８６の外面に沿って嵌合され、前記止水部材２４の後部には通気部４９が形成されたことにより、飲料用容器内の飲料残留を防止することができる。また、止水部材２４および蓋本体２１を別々に洗浄と乾燥することができ、洗浄性を向上させることができる。【選択図】図３
2015166259.tif 000002
【特許請求の範囲】
【請求項１】
上部が開口した飲料用容器本体と、
前記飲料用容器本体の上部開口部に被着される蓋本体と、
前記蓋本体に着脱自在に取り付けられる止水部材と、を有する飲料用容器の蓋体構造であって、
前記蓋本体は外周の一部を切り欠いて形成された液通孔を有し、
前記止水部材は前記蓋本体の外面に形成された嵌合溝に嵌合されると共に、前記液通孔を形成する液通孔壁の外面に沿って嵌合され、
前記止水部材の後部には通気部が形成されたことを特徴とする飲料用容器の蓋体構造。
【請求項２】
前記止水部材の後部に取外し用タブ構造を上下非対称に設けたことを特徴とする請求項１に記載の飲料用容器の蓋体構造。
【請求項３】
前記蓋本体は着脱自在にスライド嵌合するスライド蓋を備え、
前記蓋本体には前記止水部材に形成されたクリック弾性突起を嵌合する嵌合穴が形成され、
前記スライド蓋には前記クリック弾性突起を嵌合するクリック受部が形成され、
前記クリック弾性突起が前記クリック受部に嵌合することによって前記スライド蓋が所定の位置に保持されることを特徴とする請求項１又は２に記載の飲料用容器の蓋体構造。
【発明の詳細な説明】
【技術分野】
【０００１】
本発明は、金属製真空断熱タンブラーなどの飲料用容器の蓋体構造に関するものである。
【背景技術】
【０００２】
従来の飲料用容器の蓋体としては、例えば、下記特許文献１で開示されているように、容器本体の上部開口から蓋体の周壁を挿入して、容器本体の内周面と蓋体の周壁とを嵌合させるものが知られている。そして、この蓋体は、回転軸によって蓋体に軸着された開閉キャップを回動させて液通孔を開口させ、この開口に口を付けて容器本体内の飲料を飲む構造となっている。しかしながら、このような蓋体では、容器本体を傾けて飲料を飲む際に、飲料の流れる方向に対して蓋体の周壁が段差となり、飲料の流れを妨げ、容器本体内の飲料を残らず飲み干すことが困難であり、容器本体内に飲料が残留してしまうという問題があった。
【０００３】
また、特許文献１に開示されている蓋体の周壁の外周面には、止液用パッキンが嵌合されているが、この止液用パッキンを取り外すための機構が設けられていないため、洗浄時などに止液用パッキンを取り外すのが困難であった。
【先行技術文献】
【特許文献】
【０００４】
【特許文献１】特開２００８−２６０５４４号公報
【発明の概要】
【発明が解決しようとする課題】
【０００５】
そこで本発明は、蓋体の飲み口部に飲料の流れの障害となるものを設けずに、飲料用容器内の飲料残留を防止する飲料用容器の蓋体構造を提供することを第１の目的とする。
【０００６】
また、蓋体の止水部材が容易に分離できることにより、洗浄性が向上した飲料用容器の蓋体構造を提供することを第２の目的とする。
【０００７】
また、止水部材の誤装入を防止することができる飲料用容器の蓋体構造を提供することを第３の目的とする。
【０００８】
また、止水部材に形成された突起構造が蓋本体に形成された取付け穴に嵌合して、止水部材を強固に取り付けることができる飲料用容器の蓋体構造を提供することを第４の目的とする。
【０００９】
また、止水部材に形成された突起構造により、スライド蓋を所定位置に保持することができる飲料用容器の蓋体構造を提供することを第５の目的とする。
【課題を解決するための手段】
【００１０】
請求項１の飲料用容器の蓋体構造は、上部が開口した飲料用容器本体と、前記飲料用容器本体の上部開口部に被着される蓋本体と、前記蓋本体に着脱自在に取り付けられる止水部材と、を有する飲料用容器の蓋体構造であって、前記蓋本体は外周の一部を切り欠いて形成された液通孔を有し、前記止水部材は前記蓋本体の外面に形成された嵌合溝に嵌合されると共に、前記液通孔を形成する液通孔壁の外面に沿って嵌合され、前記止水部材の後部には通気部が形成されたことを特徴とする。
【００１１】
請求項２の飲料用容器の蓋体構造は、前記止水部材の後部に取外し用タブ構造を上下非対称に設けたことを特徴とする。
【００１２】
請求項３の飲料用容器の蓋体構造は、前記蓋本体は着脱自在にスライド嵌合するスライド蓋を備え、前記蓋本体には前記止水部材に形成されたクリック弾性突起を嵌合する嵌合穴が形成され、前記スライド蓋には前記クリック弾性突起を嵌合するクリック受部が形成され、前記クリック弾性突起が前記クリック受部に嵌合することによって前記スライド蓋が所定の位置に保持されることを特徴とする。
【発明の効果】
【００１３】
請求項１の発明によれば、飲料用容器内に飲料流路障害が無いため、飲料用容器内の飲料残留を防止することができる。また、止水部材が蓋本体に対して着脱自在であるため、止水部材および蓋体を別々に洗浄と乾燥をすることができ、洗浄性を向上させることができる。
【００１４】
請求項２の発明によれば、止水部材に後部タブを設けることにより、止水部材の着脱が容易となり、操作性を向上させることができる。また、後部タブの形状および配置位置により止水部材を上下反対に取り付けることを防止することができる。
【００１５】
請求項３の発明によれば、止水部材に形成されたクリック弾性突起を蓋本体に形成された嵌合穴に嵌合させるため、止水部材を蓋本体に強固に取り付けることができる。また、スライド蓋が所定位置に移動したことを認識することができる。
【図面の簡単な説明】
【００１６】
【図１】本発明の実施例１を示す飲料用容器の斜視図である。
【図２】同上、飲料用容器の縦断面図である。
【図３】同上、スライド蓋、蓋本体、および止水部材の分解斜視図である。
【図４】同上、スライド蓋の斜視図である。
【図５】同上、スライド蓋の正しい取付けの斜視図である。
【図６】同上、スライド蓋の誤った取付けの斜視図である。
【図７】同上、蓋体の底面斜視図である。
【図８】同上、蓋体の斜視図である。
【図９】同上、飲料用容器の要部縦断面図である。
【図１０】本発明の実施例２を示す飲料用容器の要部斜視断面図である。
【発明を実施するための形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１および図２は本発明の実施例１に係る飲料容器を示しており、当該飲料用容器は、金属製真空断熱構造の飲料用容器本体１と飲料用容器本体１の上部開口部２を覆う蓋体３とで構成されている。
【００１９】
飲料用容器本体１は、上部が開口した有底円筒状の外容器４と、外容器４の内部に配設され、同じく上部が開口した有底円筒状の内容器５から構成されている。外容器４と内容器５とは、上部の開口部６で溶接により一体に接合され、外容器４と内容器５との間隙には真空断熱層７が形成される。なお、外容器４と内容器５は、いずれもステンレス鋼（例えば、ＳＵＳ３０４）によって形成される。
【００２０】
外容器４は、上下が開口した筒状の円筒部８と、円筒部８の下部に溶接により接合される浅底円筒状の底部９とから形成される２部品構造を有する。底部９の底面１０には、同心円状に上下３段構造の段部が形成されている。この段部は、底面１０の中央部に形成された上段部１１と、上段部１１の外周側に上段部１１よりも径大に形成された中段部１２と、中段部１２の外周側に中段部１２よりも径大に形成された下段部１３から構成されている。
【００２１】
上段部１１には、小孔状の排気孔１４が形成されると共に、その排気孔１４を封止する真空封止材１５が配設されている。排気孔１４は、外容器４と内容器５との間隙に連通しており、排気孔１４を介してこの間隙を排気した後、真空封止材１５によって排気孔１４を封止することにより、外容器４と内容器５との間隙に真空断熱層７が形成される。なお、真空封止材１５は、例えばＳｎ又はＳｎとＡｇ、Ｃｕ、Ｎｉ、ＢｉあるいはＺｎの合金からなる金属ろう材あるいはガラスろう材などを用いる。
【００２２】
下段部１３には、真空封止材１５を外部衝撃などから保護する薄円板状の保護板１６が取り付けられている。保護板１６は、外容器４および内容器５と同様にステンレス鋼によって形成され、耐熱性接着剤などによって下段部１３に取り付けられる。
【００２３】
また、下段部１３の真空断熱層７側の面には、真空断熱層７内から発生するガスを吸着するゲッター１７が配設されている。なお、ゲッター１７は排気孔１４を塞ぐ位置でなければ、真空断熱層７内の何れの場所に配設してもよい。
【００２４】
内容器５は、縦断面が略Ｕ字形状の１部品構造を有し、外容器４の内部に収納された状態では、開口部６の接続部分以外は外容器４と当接していない。
【００２５】
以下、蓋体３について詳述するが、図３に表示する矢印Ｆ方向を蓋体３の前側、矢印Ｂ方向を蓋体３の後側、矢印Ｌ方向を蓋体３の左側、矢印Ｒ方向を蓋体３の右側とする。
【００２６】
蓋体３は、飲料用容器本体１の上部開口部２を覆う蓋本体２１と、この蓋本体２１に形成された液通孔２２を開閉するスライド蓋２３と、止水部材２４とから構成されている。スライド蓋２３および止水部材２４は、蓋本体２１に対して容易に着脱可能であり、それぞれ別個に洗浄および乾燥をすることができる。なお、止水部材２４は、シリコーンゴムなどの合成ゴムで形成された、いわゆるパッキンである。
【００２７】
スライド蓋２３は、前側が前方に凸の円弧形状で、後側、左側、および右側が直線形状の小平板部２５を有し、小平板部２５の上面後側には前側に凸の半円形状の浅凹部２６が形成されている。この浅凹部２６は平面視で製品中心に位置し、後述する操作バー２７をつまむ際に指が当接する部分であり、操作バー２７をつまみ易くするためのものである。
【００２８】
小平板部２５の後側端面には、上方に立設した操作バー２７が形成されており、この操作バー２７の左右方向の幅は、小平板部２５の左右方向の幅よりも長く操作バー２７の左右両端は小平板部２５よりも左右方向に突出し、左右両端は平面視Ｒ形状を有している。使用者は、この操作バー２７を指でつまんでスライド蓋２３をスライドさせることにより、液通孔２２の開閉を行うことができる。
【００２９】
小平板部２５には、前側端部から下方に立設した前方壁２８と、後側端部から下方に立設した後方壁２９と、左側端部から下方に立設した左方壁３０と、右側端部から下方に立設した右方壁３１とが形成され、それぞれの下端は全て揃っており、スライド蓋２３を安定して載置できるようになっている。また、小平板部２５の下方側には前方壁２８、後方壁２９、左方壁３０、および右方壁３１によって囲まれた空間が形成されている。
【００３０】
前方壁２８は、下方に向かうにしたがって後側に傾斜している。これに対し、蓋体３を飲料用容器本体１に取り付け、液通孔２２を閉じた状態、すなわちスライド蓋２３を前側にスライドさせた状態で前方壁２８が当接する内容器５の内面部３２は、下方に向かって緩やかに径小に形成されている。これにより、前方壁２８の傾斜と内面部３２の傾斜が対応して当接するようになっている。
【００３１】
後方壁２９の下端中央部には、スライド蓋２３を蓋本体３にスライド嵌合する際に、後述する誤装入防止突起３３を通過させるための誤装入防止切欠き部３４が形成されている。誤装入防止切欠き部３４は、略矩形状であって誤装入防止突起３３を通過可能な大きさを有する。
【００３２】
左方壁３０には、左側に水平に突出したスライド嵌合リブ３５が前後方向に形成されている。また、左方壁３０には、左方壁３０の後側であってスライド嵌合リブ３５の下方に、左方壁３０を上下方向に切り欠いた縦切欠き部３６と、縦切欠き部３６の上端から前側に左方壁３０を切り欠いた横切欠き部３７とが直角に接続された切欠き部３８が形成されている。この切欠き部３８によって形成された腕状の弾性部３９の先端には、外側に凸のクリックリブ４０が形成されている。弾性部３９の周囲に切欠き部３８が形成されることにより、弾性部３９の左右方向に対する可撓性が向上する。
【００３３】
右方壁３１には、左方壁３０と同様にスライド嵌合リブ３５、切欠き部３８、およびクリックリブ４０が形成されており、それぞれ左方壁３０に形成されたスライド嵌合リブ３５、切欠き部３８、およびクリックリブ４０と対向する位置関係となっている。
【００３４】
止水部材２４は、前側の一部が切り欠かれたリング形状のリング部４１と、リング部４１の切り欠かれた部分に接続され、リング部４１の内側方向に平面視倒コ字形状に形成されたコ字部４２とを有する。コ字部４２に形成された２箇所の折曲部４３は、内周および外周がＲ形状を有する。また、コ字部４２の上側面であるコ字部上面４４は、リング部４１の上側面であるリング部上面４５と面一となっているが、コ字部４２の下側面であるコ字部下面４６は後述する舌片部４７の下側面である舌片部下面４８と面一となっている。
【００３５】
また、リング部４１の外側側面の上下方向中央部には、水平方向に突出した薄板状の舌片部４７が形成されている。舌片部４７には、後側に通気用に挟幅に切り欠いた舌片切欠き部４９が形成されている。また、リング部４１の後側内面には、前側へ凸の略半円薄板形状の後部タブ５０が形成されている。この後部タブ５０の下側面である後部タブ下面５１は、リング部４１の下側面であるリング部下面５２と面一となっている。なお、舌片切欠き部４９は、空気が通過可能な孔形状であってもよい。
【００３６】
蓋本体２１は、平面視略円形状の平板部６１を有し、この平板部６１の前側であって左右中央部には、スライド蓋２３がスライド嵌合されるスライド嵌合部６２が形成されている。スライド嵌合部６２は、前側が開口した下方に凹の略矩形状を有する。また、スライド嵌合部６２は、前後方向の長さが平板部６１の半径よりも長く形成され、左右方向の長さは平板部６１の半径と同程度の長さに形成されている。また、スライド嵌合部６２の前側端部には、左右方向に幅が広くなった幅広開口部６３が形成されている。
【００３７】
スライド嵌合部６２の底面である底面部６４には、飲料用容器本体１の内部と連通する略矩形状の液通孔２２が形成されている。液通孔２２の前側は開口し、前後方向の長さはスライド嵌合部６２の前後方向の長さの１／２以下であり、左右方向の長さは、スライド嵌合部６２の左右方向の長さよりも短く形成されている。また、液通孔２２の前側端部は、前側方向に向かって緩やかに幅広となっている。
【００３８】
スライド嵌合部６２は、上記底面部６４と、後側の壁である後側壁６５と、左側の壁である左側壁６６と、右側の壁である右側壁６７とから形成されている。後側壁６５、左側壁６６、および右側壁６７は、それぞれ底面部６４から垂直に立設している。後側壁６５は、液通孔２２を完全に開口した状態、すなわちスライド蓋２３を最も後側へスライドさせた状態でスライド蓋２３の後方壁２９と当接する。
【００３９】
左側壁６６には、スライド蓋２３に形成されたスライド嵌合リブ３５が摺動する上スライド溝６８が形成されている。また、上スライド溝６８の下方には、スライド蓋２３に形成されたクリックリブ４０が摺動する下スライド溝６９が形成されている。上スライド溝６８は、下スライド溝６９よりも上下方向の溝幅が狭く形成されている。また、上スライド溝６８は、下スライド溝６９よりも溝の深さが深く形成されている。
【００４０】
下スライド溝６９には、スライド蓋２３を所定の位置で嵌合保持するための凹部が２箇所形成されている。前側の凹部である前クリック部７０には、スライド蓋２３が液通孔２２を完全に閉口する位置でクリックリブ４０が嵌合する。後側の凹部である後クリック部７１には、スライド蓋２３が液通孔２２を完全に開口する位置、すなわちスライド蓋２３の後方壁２９が蓋本体２１の後側壁６５に当接する位置でクリックリブ４０が嵌合する。以下、クリックリブ４０が前クリック部７０に嵌合した状態をスライド蓋２３の閉状態といい、クリックリブ４０が後クリック部７１に嵌合した状態をスライド蓋２３の開状態という。
【００４１】
右側壁６７には、左側壁６６と同様に上スライド溝６８、下スライド溝６９、前クリック部７０、および後クリック部７１が形成されており、それぞれ左側壁６６に形成された左側壁６６と同様に上スライド溝６８、下スライド溝６９、前クリック部７０、および後クリック部７１と対向する位置関係となっている。
【００４２】
左右のクリックリブ４０，４０間の距離は、左右の下スライド溝６９，６９間の距離よりも長く形成されている。そのため、左右のクリックリブ４０，４０がそれぞれ左右の下スライド溝６９，６９を摺動している時は、左右の弾性部３９，３９はそれぞれ内側に付勢される。そして、クリックリブ４０が前クリック部７０および後クリック部７１の位置に移動すると弾性部３９への付勢が解除され、クリックリブ４０が嵌合される。
【００４３】
平板部６１の上面外周部分には、上方に向かって立設した上壁７２が形成されており、その上壁７２の上端には外側に水平に突出した容器受部７３が形成されている。また、蓋体３を飲料用容器本体１に取り付けた際に、飲料用容器本体１の上側の端面である上端面７４が容器受部７３の下側面である容器受部下面７５に当接することにより、蓋体３が飲料用容器本体１に対して位置決めされる。上壁７２および容器受部７３は、スライド嵌合部６２の幅広開口部６３とその両側の一定部分には形成されていない。これにより、飲料用容器本体１内の飲料を飲料用容器本体１に直接口を付けて飲むことができるようになっている。
【００４４】
また、容器受部下面７５の後側には、通気用に容器受部７３の厚さを薄くした通気用段部５３が形成されている。通気用段部５３の前側は直線状に形成され、後側は容器受部７３の外周に沿っているため円弧状に形成されている。
【００４５】
平板部６１の下面の外周よりやや中心よりには、下方に向かって立設した下壁７６が形成されており、その下壁７６の下端には外側に水平に突出した蓋本体下端部７７が形成されている。下壁７６および蓋本体下端部７７の前側は、スライド嵌合部６２の幅広開口部６３と同幅に開口しており、後側には止水部材２４に形成された後部タブ５０を配置するための矩形状のタブ配置部７８が形成されている。また、下壁７６の外側面７９の上下方向中央部には外側に水平に突出した薄板状の溝形成壁８０が形成されている。溝形成壁８０の上側面である溝形成壁上面８１は、底面部６４から立設し幅広開口部６３を形成する開口部壁８２によって遮られているが、スライド嵌合部６２の底面部６４と面一となっている。
【００４６】
蓋本体下端部７７と溝形成壁８０との間には、止水部材２４を嵌合するための溝状の止水部材嵌合部８３が形成されている。
【００４７】
液通孔２２は、スライド嵌合部６２の前側端部を開口し、スライド嵌合部６２の底面部６４から下方に立設した後側の壁である孔後壁８４と、左側の壁である孔左壁８５と、右側の壁である孔右壁８６とにより形成されている。孔後壁８４、孔左壁８５および孔右壁８６の各下端は、蓋本体下端部７７よりも上方に位置している。この孔後壁８４、孔左壁８５および孔右壁８６の各壁の外面に沿って止水部材２４のコ字部４２が嵌合される。
【００４８】
底面部６４の左右方向中央部には、スライド蓋２３を誤って前後反対に取り付けることを防止するための誤装入防止突起３３が形成されている。誤装入防止突起３３は、上方に凸の直方体形状を有しており、その前側の面である前側面部８７は液通孔２２の孔後壁８４と面一となっている。
【００４９】
ここで、スライド蓋２３の蓋本体２１への取付けについて詳述する。まず、蓋本体２１の幅広開口部６３にスライド蓋２３を後方壁２９側から水平にスライドするように押し込む。この際、スライド嵌合リブ３５が上スライド溝６８に、クリックリブ４０が下スライド溝６９にそれぞれ摺動するようにスライド蓋２３の上下方向の位置を調整する。そして、スライド蓋２３を蓋本体２１のスライド嵌合部６２へ押し込んでいくと、誤装入防止切欠き部３４を誤装入防止突起３３が通過し、クリックリブ４０が下スライド溝６９に形成された前クリック部７０に嵌合され、スライド蓋２３が液通孔２２を完全に閉口した位置で蓋本体２１に保持される。この時、蓋本体２１の平板部６１とスライド蓋２３の小平板部２５により、平面視で中央部に下方に凹の矩形状凹部８８を有する円形状の蓋上面８９が形成される。この蓋上面８９は円形状であるため、平面視円形の飲料用容器本体１の上部開口部２を覆うのに適している。
【００５０】
スライド蓋２３を蓋本体２１のスライド嵌合部６２へさらに押し込んでいくと、徐々に液通孔２２が開口し、スライド蓋２３の後方壁２９が蓋本体２１の後側壁６５に当接する。後方壁２９が後側壁６５に当接した位置で、クリックリブ４０が後クリック部７１に嵌合され、スライド蓋２３が開状態で保持される。なお、スライド蓋２３を取り外す場合には、スライド蓋２３を前側にスライドさせて幅広開口部６３から引き抜けばよい。
【００５１】
クリックリブ４０が前クリック部７０および後クリック部７１に嵌合する時には、使用者は、弾性部３９の付勢が解除される際の反動により、クリック感を感じることができ、クリックリブ４０が前クリック部７０および後クリック部７１に嵌合されたことを認識することができる。また、スライド蓋２３が開状態および閉状態では、弾性部３９はスライド蓋２３の自重では変形することがないように設計されているため、使用する際に飲料用容器を傾けても、スライド蓋２３が自動的に開閉することがなく安心して使用することができる。さらに、スライド蓋２３が開状態と閉状態の間の位置にある時は、弾性部材３９は内側に付勢されて弾性変形した状態であり、スライド蓋２３は弾性部材３９の弾性によりその位置に保持される。そのため、飲料用容器を傾けてもスライド蓋２３が自動的にスライドすることはない。したがって、使用者はスライド蓋２３をスライドさせて液通孔２２の開口量を任意に調整することにより、液通孔２２から流出する飲料の量を調節することができる。
【００５２】
また、誤って、スライド蓋２３を前方壁２８側から蓋本体２１に取り付けようとすると、図６に示すように、前方壁２８が誤装入防止突起３３の前側面８７に当接するため、スライド蓋２３を蓋本体２１のスライド嵌合部６２に押し込むことができない構造となっている。さらに、スライド蓋２３をスライド嵌合部６２の上方から押し込むように取り付けようとしても、左右のスライド嵌合リブ３５，３５間の長さがスライド嵌合部６２の横幅よりも長いため押し込むことができない。
【００５３】
スライド蓋２３の後方壁２９が蓋本体２１の後側壁６５に当接した位置にある時、スライド蓋２３の前方壁２８は、誤装入防止突起３３よりも前側に位置し、前方壁２８は誤装入防止突起３３に接触しない。
【００５４】
次に、止水部材２４の蓋本体２１への取付けについて詳述する。まず、止水部材２４の後部タブ５０を蓋本体２１に形成されたタブ配置部７８に挿入し、リング部４１を止水部材嵌合部８３に嵌合させる。そして、コ字部上面４４を底面部６４の下側面である底面部下面９０に当接させながら、コ字部４２を孔後壁８４、孔左壁８５、および孔右壁８６の外側面に沿うように嵌合させる。なお、止水部材２４は伸縮性を有することから、どの箇所からでも容易に着脱可能である。また、誤って止水部材２４を上下反対に嵌合させようとした場合には、後部タブ下面５１とリング部下面５２が面一に形成されていることから、後部タブ５０が下壁７６に干渉して、リング部４１が止水部材嵌合部８３に嵌合できない構造となっており、使用者が止水部材２４の上下が反対であることを認識することができる。
【００５５】
次に、蓋体３の飲料用容器本体１への取付けについて詳述する。まず、飲料用容器本体１にはあらかじめ所望の飲料を収容しておく。また、蓋本体２１にスライド蓋２３および止水部材２４を嵌合させた後、スライド蓋２３が飲料用容器本体１の上端面７４と干渉しないように、クリックリブ４０を前クリック部７０に嵌合させた閉状態にしておく。そして、この蓋体３を飲料用容器本体１の上部開口部２上方から下方に向かって押し込むと、舌片部４７が飲料用容器本体１の内面に密接する。さらに、容器受部７３に飲料用容器本体１の上端面７４が当接するまで蓋体３を押し下げると、スライド蓋２３の前方壁２８が飲料用容器本体１の内面部３２に当接し、蓋体３が飲料用容器本体１に完全に嵌合される。なお、蓋体３を飲料用容器本体１から取り外すには、飲料用容器本体１を保持しながら容器受部７３を把持して蓋体３を上方に引き抜けばよい。このように、蓋体３を取り付けることにより、飲料用容器本体１内の保温効果を向上させると共に、飲料用容器本体１内への埃などの落下侵入を防止することができる。
【００５６】
ここで、蓋体３の着脱時の飲料用容器内の空気の流れについて詳述する。図９の矢印Ｉ，Ｏは、閉状態での蓋体３の着脱時の空気の流れを示している。蓋体３を飲料用容器本体１へ押し込む際には、飲料用容器内の空気は矢印Ｏが示すように、止水部材２４に形成された舌片切欠き部４９と内容器５の内面との間隙に形成された第１通気路５４を通って、通気用段部５３と上端面７４との間隙に形成された第２通気路５５から飲料用容器外に排出される。また、蓋体３を飲料用容器本体１から引き抜く際には矢印Ｉが示すように、空気が第２通気路５５から吸入され、第１通気路５４を通って飲料用容器内に至る。このように、第１通気路５４および第２通気路５５が形成されることにより、閉状態でも飲料用容器内の空気の出入りがスムーズに行われ、空気圧による抵抗を受けることなく、蓋体３の着脱を容易に行うことができる。なお、開状態で蓋体３を着脱する場合には、液通孔２２から空気が出入りする。
【００５７】
飲料用容器本体１に蓋体３を取り付けた後、クリックリブ４０が下スライド溝６９に形成された前クリック部７０と後クリック部７１との間を往復摺動するように蓋スライド部２３を前後にスライドさせることにより、液通孔２２の開閉を行うことができる。蓋スライド部２３をスライドさせる際は、操作バー２７を指でつまんで操作する。
【００５８】
スライド蓋２３を開状態として液通孔２２を開口させると、飲料用容器本体１の内面と液通孔２２によって飲み口部９１が形成され、この飲み口部９１から飲料用容器本体１に収容した飲料を飲むことができる。飲料用容器本体１の内部には、飲み口部９１に至るまでの飲料の流路に障害となるようなものは無く、飲料用容器本体１内に飲料を残留することなく、全て飲み干すことができる。
【００５９】
このように本実施例では、請求項１に対応して、上部が開口した飲料用容器本体１と、前記飲料用容器本体１の上部開口部２に被着される蓋本体２１と、前記蓋本体２１に着脱自在に取り付けられる止水部材２４と、を有する飲料用容器の蓋体構造であって、前記蓋本体２１は外周の一部を切り欠いて形成された液通孔２２を有し、前記止水部材２４は前記蓋本体２１の外面７９に形成された嵌合溝８３に嵌合されると共に、前記液通孔２２を形成する液通孔壁８４，８５，８６の外面に沿って嵌合され、前記止水部材２４の後部には通気部４９が形成されたことにより、飲料用容器内の飲料残留を防止することができる。また、止水部材２４および蓋本体２１を別々に洗浄と乾燥することができ、洗浄性を向上させることができる。
【００６０】
また、本実施例では、請求項２に対応して、前記止水部材２４の後部に取外し用タブ構造５０を上下非対称に設けたことにより、止水部材の着脱が容易となり、操作性を向上させることができる。また、止水部材を上下反対に取り付けることを防止することができる。
【００６１】
また、実施例上の効果として、蓋体３を飲料用容器本体１に取り付けたときに、止水部材２４が飲料用容器本体１の内面に密嵌するため、蓋体３を飲料用容器本体１に確実に嵌合することができる。
【実施例２】
【００６２】
図１０は、本発明の実施例２を示し、上記実施例１と同一部分に同一符号を付し、その詳細な説明を省略して詳述する。本実施例は、止水部材２４に形成されたクリック弾性突起９２がスライド蓋２３に嵌合することにより、スライド蓋２３を開状態および閉状態で保持することを可能としたものである。
【００６３】
本実施例のスライド蓋２３は、前方壁２８、後方壁２９、左方壁３０、および右方壁３１の上下方向長さが実施例１よりも短く形成され、それら各壁に囲まれた内部には空間が形成されない薄板形状を有している。また、左方壁３０および右方壁３１には切欠き部３８、弾性部３９、およびクリックリブ４０が形成されておらず、後方壁２９には誤装入防止切欠き部３４が形成されていない。したがって、スライド蓋２３を前後にスライドさせた場合には、スライド嵌合リブ３５のみが上スライド溝６８を摺動する。
【００６４】
スライド蓋２３の下側の面であるスライド蓋下面９３には、止水部材２４に形成されたクリック弾性突起９２を嵌合させるための円形状の凹部が前後２箇所に形成されている。クリック弾性突起９２が前側の凹部である前凹部９４に嵌合したときは、スライド蓋２３が開状態で保持され、クリック弾性突起９２が後側の凹部である後凹部９５に嵌合したときは、スライド蓋２３が閉状態で保持される。
【００６５】
クリック弾性突起９２は、前凹部９４および後凹部９５に嵌合していないときは、スライド蓋下面９３によって下方に付勢されて圧潰されているが、前凹部９４および後凹部９５に嵌合すると付勢が解除され、クリック弾性突起９２の有する弾性によりクリック弾性突起９２の形状が元に戻る。そのため、クリック弾性突起９２が前凹部９４および後凹部９５に嵌合するときには、使用者はクリック感を感じることができ、クリック弾性突起９２の前凹部９４および後凹部９５への嵌合を認識することができる。また、スライド蓋２３が開状態および閉状態では、クリック弾性突起９２はスライド蓋２３の自重では変形することがないように設計されているため、使用する際に飲料用容器を傾けても、スライド蓋２３が自動的に開閉することがなく安心して使用することができる。さらに、スライド蓋２３が開状態と閉状態の間の位置にある時は、クリック弾性突起９２はスライド蓋下面９３によって下方に付勢され圧潰されて弾性変形した状態であり、スライド蓋２３はクリック弾性突起９２の有する弾性によりその位置に保持される。そのため、飲料用容器を傾けてもスライド蓋２３が自動的にスライドすることはない。したがって、使用者はスライド蓋２３をスライドさせて液通孔２２の開口量を任意に調整することにより、液通孔２２から流出する飲料の量を調節することができる。
【００６６】
本実施例の蓋本体２１には、下スライド溝６９、前クリック受部７０、および後クリック受部７１が形成されていない。そのため、スライド嵌合部６２は実施例１のものと比較して浅くなっている。また、蓋本体２１の外側面７９には溝形成壁８０が形成されていないため、止水部材２４のリング部４１は平板部６１と蓋本体下端部７７との間に嵌合される。
【００６７】
底面部６４には、クリック弾性突起９２を挿通させて嵌合する嵌合穴９６が形成されている。クリック弾性突起９２は、下方から嵌合穴９６に挿通され、クリック弾性突起９２の先端部が底面部６４の上面から突出し、スライド蓋２３に形成されたクリック受部９４に嵌合するようになっている。嵌合穴９６は、平面視で円形状に形成されており、縦断面は上側の幅広部９７と下側の幅狭部９８の２段形状を有する。幅狭部９８の内周下端部は、クリック弾性突起９２を挿通し易いように全周に渡って面取りをした面取り部９９が形成されている。また、底面部６４には、誤装入防止突起３３が形成されていない。
【００６８】
本実施例の液通孔２２は、平面視後側に凸の半円形状に形成されている。そのため、蓋本体２１は、孔後壁８４、孔左壁８５、および孔右壁８６の代わりに底面部６４の前側端部から下方へ立設した平面視後側へ凸の半円形状の液通孔壁１００を有する。なお、液通孔２２の前後方向の長さは、底面部６４に嵌合穴９６を形成したことにより、実施例１よりも短くなっている。
【００６９】
本実施例の止水部材２４は、リング部４１の切り欠かれた部分に接続され、リング部４１の内側方向に凸の平面視半円形状に形成された半円部１０１を有する。この半円部１０１は、止水部材２４を蓋本体２１に取り付ける際に液通孔壁１００の後側面に沿って取り付けられる。また、半円部１０１の後側部分には、クリック弾性突起９２が形成される突起形成部１０２が形成されている。クリック弾性突起９２は、突起形成部１０２の上面に形成されている。半円部１０１の上下方向の厚さは、突起形成部１０２の上下方向の厚さよりも厚く形成されている。
【００７０】
クリック弾性突起９２は、嵌合穴９６の形状に対応した形状に形成されており、底面部６４上方に突出するドーム形状の突出部１０３と、突出部１０３の下方に形成され、幅広部９７に嵌合する円筒形状の径大円筒部１０４と、径大円筒部１０４の下方に形成され、幅狭部９８に嵌合する円筒形状の径小円筒部１０５と、径小円筒部１０５の下方に形成され、面取り部９９に嵌合する円錐形状の円錐部１０６を有する。
【００７１】
本実施例の止水部材２４には、後部タブ５０が形成されておらず、そのため、蓋本体２１にはタブ配置部７８が形成されていないが、実施例１と同様に後部タブ５０およびタブ配置部７８を設ける構成としてもよい。
【００７２】
このように、本実施例では、請求項３に対応して、前記蓋本体２１は着脱自在にスライド嵌合するスライド蓋２３を備え、前記蓋本体２１には前記止水部材２４に形成されたクリック弾性突起９２を嵌合する嵌合穴９６が形成され、前記スライド蓋２３には前記クリック弾性突起９２を嵌合するクリック受部９４，９５が形成され、前記クリック弾性突起９２が前記クリック受部９４，９５に嵌合することによって前記スライド蓋２３が所定の位置に保持されることにより、止水部材２４を蓋本体２１に強固に取り付けることができる。また、スライド蓋２３を開状態および閉状態で保持することができる。
【００７３】
尚、本発明は、上記実施例に限定されるものではなく、本発明の要旨の範囲内で種々の変形実施が可能である。例えば、実施例ではクリック弾性突起を嵌合する凹部が前後２箇所に形成されているが、１箇所または３箇所以上形成して、スライド蓋が開位置または閉位置のいずれか一方に移動したことを認識できるようにしたり、スライド蓋に形成されたクリック弾性突起が嵌合する位置を３箇所以上としてもよい。
【符号の説明】
【００７４】
１  飲料用容器本体
２  上部開口部
２１  蓋本体
２２  液通孔
２３  スライド蓋
２４  止水部材
２９  後方壁（液通孔壁）
３０  左方壁（液通孔壁）
３１  左方壁（液通孔壁）
４９  舌片切欠き部（通気部）
５０  後部タブ（タブ構造）
７９  外側面（外面）
８３  止水部材嵌合部（嵌合溝）
９２  クリック弾性突起
９４  前凹部（クリック受部）
９５  後凹部（クリック受部）
９６  嵌合穴
１００  液通孔壁
【図１】
2015166259.tif 000003
【図２】
2015166259.tif 000004
【図３】
2015166259.tif 000005
【図４】
2015166259.tif 000006
【図５】
2015166259.tif 000007
【図６】
2015166259.tif 000008
【図７】
2015166259.tif 000009
【図８】
2015166259.tif 000010
【図９】
2015166259.tif 000011
【図１０】
2015166259.tif 000012